(57)【特許請求の範囲】
【請求項１】
一或いは複数の空調機と、商用電源の商用電力を蓄電する蓄電池とを有し、前記蓄電池に蓄電された蓄電電力および前記商用電力を供給して前記空調機を作動させる蓄電式空気調和システムであって、
電力需要が少ない夜間に前記蓄電池への充電を実行すると共に、少なくとも前記電力需要のピーク期間を含む放電期間に前記蓄電池に充電された蓄電電力を放電する蓄電制御手段と、
一日の電力需要の変動パターンの予測値である電力需要変動予測パターンを季節毎に記憶する記憶手段と、
前記蓄電池の蓄電電力の残電力量を検出する残量検出手段と、を備え、
前記蓄電制御手段は、
放電期間の開始までに、現在の季節に応じた前記電力需要変動予測パターンと、前記電力需要ピーク時に電力需要を商用電源で負担する割合の上限値とに基づいて、前記放電期間の終了時に前記蓄電電力の残電力量が略ゼロとなるように前記蓄電電力の放電を制御する放電パターンを決定し、
放電期間中には、前記放電パターンに基づいて前記蓄電電力を放電しつつ前記放電期間内に検出された前記残電力量に基づいて、前記放電期間の残りの時間における前記放電パターンを補正し、
放電期間の終了後には、翌日の前記電力需要変動予測パターンが今回と同じになる場合、今回の放電期間終了時の残電力量に基づいて、前記電力需要変動予測パターンにより決定される翌日の放電パターンを補正する
ことを特徴とする蓄電式空気調和システム。
【請求項２】
前記蓄電制御手段は、
前記放電期間のうち前記ピーク期間において前記放電電力量を増加させる
ことを特徴とする請求項１に記載の蓄電式空気調和システム。
【発明の詳細な説明】
【技術分野】
【０００１】
本発明は、蓄電式空気調和システムに関する。
【背景技術】
【０００２】
近年、夏および冬では昼と夜とで電力消費量の格差が非常に大きくなる傾向があり、このことが電力の効率的な供給を行う上での弊害となっている。特に、地球温暖化を始めとした環境問題やエネルギー問題に対応するためには、電力需要の平準化による電力供給の効率化が重要である。一日の電力需要の格差の主たる要因の一つは空調用電力需要であると言われており、夏暑いとき或いは冬寒いときの空気調和機の一斉作動が電力需要のピーク値を押し上げていると考えられている。このような問題の解消を図る空気調和装置として、従来から蓄熱式の空気調和機が提案されている（例えば、特許文献１参照）。
【０００３】
蓄熱式空気調和機は、電力需要の少ない夜間に空調機を作動させて蓄熱材に蓄熱あるいは蓄冷し、昼間にその熱を利用して空調するものである。こうすることによって、昼間に発生する電力需要のピークを夜間にシフトすることができ、全体的に電力需要の平準化に寄与することができる。その代表的な蓄熱式空気調和機しては、蓄熱材に氷を用いた氷蓄熱式の空気調和機がある。
【特許文献１】特開２００４−３０１４００号公報
【発明の開示】
【発明が解決しようとする課題】
【０００４】
しかしながら、氷蓄熱式の空気調和機にあっては、ヒートポンプ作用で氷を作ることから、冷媒の蒸発温度が低いため通常の冷房運転と比較して効率が悪くなり省エネ効果が低い。また、氷蓄熱における潜熱と暖房時の温水の顕熱との違いにより、冷房と暖房の能力がアンバランスになるなどの問題があった。
【０００５】
本発明は、上述した事情に鑑みてなされたものであり、電力需要の平準化を効率良く行うことが可能な蓄電式空気調和システムを提供することを目的とする。
【課題を解決するための手段】
【０００６】
上記目的を達成するために、本発明は、一或いは複数の空調機と、商用電源の商用電力を蓄電する蓄電池とを有し、前記蓄電池に蓄電された蓄電電力および前記商用電力を供給して前記空調機を作動させる蓄電式空気調和システムであって、電力需要が少ない夜間に前記蓄電池への充電を実行すると共に、少なくとも前記電力需要のピーク期間を含む放電期間に前記蓄電池に充電された蓄電電力を放電する蓄電制御手段と、一日の電力需要の変動パターンの予測値である電力需要変動予測パターンを季節毎に記憶する記憶手段と、前記蓄電池の蓄電電力の残電力量を検出する残量検出手段と、を備え、前記蓄電制御手段は、放電期間の開始までに、現在の季節に応じた前記電力需要変動予測パターンと、前記電力需要ピーク時に電力需要を商用電源で負担する割合の上限値とに基づいて、前記放電期間の終了時に前記蓄電電力の残電力量が略ゼロとなるように前記蓄電電力の放電を制御する放電パターンを決定し、放電期間中には、前記放電パターンに基づいて前記蓄電電力を放電しつつ前記放電期間内に検出された前記残電力量に基づいて、前記放電期間の残りの時間における前記放電パターンを補正し、放電期間の終了後には、翌日の前記電力需要変動予測パターンが今回と同じになる場合、今回の放電期間終了時の残電力量に基づいて、前記電力需要変動予測パターンにより決定される翌日の放電パターンを補正することを特徴とする。
【００１１】
また本発明は、上記発明において、前記蓄電制御手段は、前記放電期間のうち前記ピーク期間において前記放電電力量を増加させることを特徴とする。
【発明の効果】
【００１２】
本発明によれば、商用電力により充電される蓄電池を備え、電力需要が少ない夜間に前記蓄電池への充電を実行すると共に、少なくとも前記電力需要のピーク期間を含む放電期間に前記蓄電池に充電された蓄電電力を放電するようにしたため、電力需要の平準化を効率良く行うことができる。
【発明を実施するための最良の形態】
【００１３】
以下、本発明の実施の形態について図面を参照して説明する。
＜第１実施の形態＞
図１は本実施の形態に係る蓄電式空気調和システム１の概略構成を示すブロック図である。蓄電式空気調和システム１は、空調機群２と、蓄電ユニット３と、ＰＣＳコントローラ４とを備えている。上記空調機群２は、室外機と、当該室外機に冷媒回路にて接続された１または複数の室内機を備えた複数の空調機２Ａ、２Ｂ（図示例では２つ）を有し、それぞれの空調機２Ａ、２Ｂは、例えばＡＣ２００Ｖの電力が供給されるＡＣ負荷ライン１１に互いに並列に接続されている。
【００１４】
蓄電ユニット３は、例えばＡＣ２００Ｖの交流電力を供給する商用電源１０の電力供給ライン１２から分岐された蓄電電力供給ライン１３に接続されて、商用電力を蓄電するものであり、ＤＣ電源３０と、蓄電空調コントローラ３１と、電池充電器３２と、蓄電池３３とを有している。上記蓄電電力供給ライン１３は２系統に分岐され、一方の蓄電電力供給ライン系統１３ＡにはＤＣ電源３０が、他方の蓄電電力供給ライン系統１３Ｂには電池充電器３２がそれぞれ接続されている。
【００１５】
ＤＣ電源３０は、各種回路の動作電圧を生成するものであり、商用電源１０からの交流電力を所定電圧（例えば５Ｖ）の直流電力に変換して蓄電空調コントローラ３１に供給する。蓄電空調コントローラ３１は、当該蓄電ユニット３の蓄電・放電を制御するものであり、例えばＥＥＰＲＯＭ等のメモリ３１Ａを内蔵し、当該メモリ３１Ａに格納された制御プログラムにしたがって動作する。また、電池充電器３２は、商用電源１０からの交流電力を直流電力に変換して出力するコンバータ回路３２Ａを内蔵し、蓄電空調コントローラ３１の指示の下、当該直流電力を電池充電ライン１４を介して蓄電池３３に供給する。本実施の形態では、蓄電空調コントローラ３１Ａは、電力需要が一日の間で比較的小さくなる夜間の時間帯に電池充電器３２に対して蓄電池３３への充電開始信号を出力し、これにより、蓄電池３３への充電が開始される。蓄電池３３は、鉛蓄電池、あるいは、ニッカド、ニッケル−水素、ニッケル−亜鉛、ナトリウム−イオウ、ゼブラ電池、リチウム等のバッテリであり、当該蓄電池３３から引き出された電池放電ライン１５を介して、蓄電された電力が上記ＰＣＳコントローラ４に出力される。
【００１６】
ＰＣＳコントローラ４は、上記商用電源１０からの電力供給ライン１２と、ＡＣ負荷ライン１１との間に介在し、蓄電空調コントローラ３１の指示の下、商用電力に蓄電電力を所定の割合で連携させてＡＣ負荷ライン１１に出力するものである。すなわち、このＰＣＳコントローラ４は、電池放電ライン１５に接続されて蓄電池３３から供給される直流電力を交流電力に変換してＡＣ負荷ライン１１に出力するインバータ回路４Ａを内蔵しており、蓄電空調コントローラ３１Ａは、ＰＣＳコントローラ４に対して制御信号を出力して、電力需要が一日の間で比較的大きい昼間の時間帯に、蓄電池３３の蓄電電力が所定の割合でＡＣ負荷ライン１１に供給されるように制御し、それ以外の時間帯には商用電力が供給されるように制御する。
【００１７】
このような構成の蓄電式空気調和システム１によれば、蓄電空調コントローラ３１は、ＰＣＳコントローラ４を制御して、電力需要のピーク時間帯には蓄電池３３の蓄電電力および商用電力をＡＣ負荷ライン１１に供給し、それ以外の時間帯には商用電力のみをＡＣ負荷ライン１１に供給するので、電力需要がピークとなる昼間の時間帯には、蓄電池３３から蓄電電力および商用電力が供給されて各空調機２Ａ、２Ｂが運転され、さらに蓄電池３３の充電に関しては電力需要の小さい夜間に行うので、商用電源１０における電力ピーク時の消費量が抑制される。
【００１８】
ここで、本蓄電式空気調和システム１では、上記の通り、一日の間で電力需要が比較的大きい昼間の時間帯に空調機２Ａ、２Ｂを運転する際、蓄電電力だけではなく商用電力も併せて各空調機２Ａ、２Ｂに供給することとしている。すなわち、蓄電池３３として、昼間の時間帯に空調機２Ａ、２Ｂが使用する電力を十分に蓄えることのできるだけの容量を有するものを用いれば、昼間の時間帯に商用電力を使用せずとも、蓄電池３３に蓄電された電力だけで各空調機２Ａ、２Ｂを運転することが可能であるものの、かかる蓄電池３３のコストが非常に高くなるため現実的ではない。
【００１９】
そこで本蓄電式空気調和システム１では、昼間の時間帯には、蓄電電力および商用電力を空調機２Ａ、２Ｂに供給することで、蓄電池３３のコストを低減することとしている。このとき、本実施の形態では、昼間の時間帯の間は常に蓄電池３３を放電させて蓄電電力の供給を継続し、これにより、昼間の時間帯における商用電力の電力消費量を全体的に下げるようにしている（いわゆる、ピークシフト）。
【００２０】
具体的には、本実施の形態では、電力需要、すなわち、空調機群２の冷暖房負荷比率の一日の変動予測パターンＰ（以下、「冷暖房負荷予測パターンＰ」と言う）が、春夏秋冬の季節と対応付けて複数パターンだけ予めメモリ３１Ａに格納されている。冷暖房負荷比率は冷暖房負荷の最大値に対する要求負荷の割合を示すものであり、一日の電力需要の変動パターンと略等価とみなすことができる。一般には、空調機群２の大半は昼間に空気調和動作のために作動されるため、図２に示すように、冷暖房負荷比率は夜間よりも昼間の時間帯の方が高くなる傾向にあり、また、空調機群２を商用電力だけで作動させている場合には、商用電力消費量の変動パターン（以下、「商用電力予測パターン」Ｃと言う）は冷暖房負荷予測パターンＰに近似することになる。したがって、図３に示すように、昼間の時間帯の間、常に冷暖房負荷比率のうちの一定割合を蓄電電力で負担するような放電パターンＨで蓄電池３３を放電することで、商用電力の変動パターンＣａを商用電力予測パターンＣが全体的に下方にシフトさせたパターンとすることができ、一日の電力需要の平準化が図られることになる。
【００２１】
このときの蓄電電力の放電制御について詳述すると、蓄電空調コントローラ３１は、図４に示すように、現在日付に基づいて現在の季節に適合した冷暖房負荷予測パターンＰを決定しメモリ３１Ａから読み出す（ステップＳａ１）。次いで、蓄電空調コントローラ３１は冷暖房負荷予測パターンＰのピーク値Ｐｍａｘに基づいて、昼間の時間帯の放電パターンＨを決定する（ステップＳａ２）。具体的には、前掲図３に示すように、冷暖房負荷による消費電力を商用電力で負担する割合の上限値Ｇ（以下、「商用電力負担上限値Ｇ」と言う）が予め設定されており、蓄電空調コントローラ３１は、（Ｐｍａｘ−Ｇ）に相当する割合Ａ（以下、「放電電力負担割合Ａ」と言う）を放電電力に割り当てることで、商用電力が冷暖房負荷の消費電力を負担する割合が商用電力負担上限値Ｇを越えないようにしている。そして、蓄電空調コントローラ３１は、昼間の時間帯の間、放電電力負担割合Ａで常に放電するパターンを放電パターンＨとして決定する。なお、放電電力負担割合Ａの場合の放電電力Ｗｈは、冷暖房負荷比率が１００％のときの消費電力量をＷｄとすると、放電電力Ｗｈ＝Ｗｄ×Ａである。
【００２２】
ここで、各空調機２Ａ、２Ｂによる室内の空気調和動作が開始され得る時間が予め放電開始時間ｔ０（例えば８：００）として設定されており、上述のステップＳａ１およびＳａ２の処理は放電開始時間ｔ０よりも前に行われる。そして、放電開始時間ｔ０に至ると、図４に示すように、蓄電空調コントローラ３１は、ＰＣＳコントローラ４を制御して、上記放電パターンＨにしたがって蓄電池３３を放電させる（ステップＳａ３）。これにより、昼間の時間帯においては、冷暖房負荷による消費電力のうちの一定割合が蓄電池３３の放電電力により補われるため、商用電力の電力消費パターンが全体としてΔＰ（＝Ａ）だけ下方にシフトし、昼間の時間帯の電力需要およびそのピークが押し下げられる。また、比較的電力需要の小さい夜間においては、上述の通り、蓄電池３３への充電が実行されて商用電力が消費されて電力需要が増えるため、昼夜を通じての電力需要が平準化されることになる。
【００２３】
ところで、放電電力負担割合Ａや空調機２Ａ、２Ｂの実際の稼動状態、蓄電池３３の劣化等によっては、放電期間Ｔ２において蓄電池３３の蓄電電力が不足したり、或いは、夜間充電期間Ｔ１の開始時に蓄電電力が残っている恐れがある。そこで、本実施の形態では、翌日の冷暖房負荷予測パターンＰが今日のものと同じ場合には、蓄電池３３の蓄電電力の過不足に応じて翌日の放電パターンＨを補正することとしている。
【００２４】
すなわち、一日の放電期間Ｔ２が終了し、夜間充電期間Ｔ１の開始時（例えば２２：００）に至った場合、蓄電空調コントローラ３１は、図４に示すように、翌日が季節の変わり目であるか否かを判断し（ステップＳａ４）、翌日が季節の変わり目である場合には（ステップＳａ４：Ｙｅｓ）、翌日の冷暖房負荷予測パターンＰは今回と異なるため、放電パターンＨの補正は行わない。
一方、翌日が季節の変わり目でない場合には（ステップＳａ４：Ｎｏ）、蓄電空調コントローラ３１は、蓄電池３３の蓄電電力の過不足に応じて翌日の放電パターンＨを補正する（ステップＳａ６）。具体的には、蓄電空調コントローラ３１は、残量検出器３４（図１参照）の検出結果に基づいて蓄電池３３の残電力量を検出し、図５に示すように、充電期間Ｔ０の開始時に蓄電電力が残っている場合には、その残電力量に応じて放電パターンＨの放電電力負担割合Ａを上げ、蓄電電力が不足していた場合には放電パターンＨの放電電力負担割合Ａを下げる。
【００２５】
例えば、蓄電池３３の残電力量Ｗｚがゼロより大きい場合、（残電力量Ｗｚ／放電期間Ｔ２の時間長）の値に応じて放電電力負担割合Ａを上げるように放電パターンＨを補正する。また例えば、蓄電池３３の残電力量Ｗｚがゼロである場合には、蓄電池３３のフル充電容量をＷｊとして、放電電力負担割合Ａを、（Ｗｊ／放電期間Ｔ２の時間長）に対応した値（すなわち、放電電力負担割合Ａが取り得る最大値）まで下げる。これにより、放電期間Ｔ２中に蓄電電力が過不足なく放電される。
【００２６】
このように本実施の形態によれば、夜間の間に商用電源１０の商用電力を蓄電する蓄電池３３を設け、電力需要が大きくなる昼間の時間帯には、商用電力と共に蓄電池３３の蓄電電力を各空調機２Ａ、２Ｂに供給して作動させる構成とし、夜間電力を蓄熱材ではなく、当該蓄熱材よりも効率の良い蓄電池３３に蓄える構成としているため、夜間に蓄えた電力を昼間に効率良く利用することができ、また、これにより、一日の電力需要の平準化を効率良く行うことができる。
【００２７】
また、本実施の形態によれば、放電期間Ｔ２の終了時に蓄電電力の残電力量が略ゼロとなるように蓄電池３３の放電を制御するようにしたため、夜間に蓄えた電力を昼間の時間帯に効率良く使い切ることができる。また、一般に、夜間の電力料金は昼間の電力料金よりも安く設定されているため、夜間電力を蓄電池３３に蓄え、昼間の時間帯に使用することで電力料金を削減することができる。
【００２８】
また、本実施の形態によれば、電力需要変動予測パターンと略同じパターンを見なされる冷暖房負荷比率予測パターンＰと、冷暖房負荷比率のピーク時（すなわち、電力需要のピーク時）の商用電力の使用電力量の負担上限値Ｇとに基づいて、放電期間Ｔ２における蓄電電力の放電パターンＨを決定する構成としたため、その日の電力需要の状況に応じて効率良く蓄電池３３の放電を行うことができる。
【００２９】
また、本実施の形態によれば、翌日の冷暖房負荷比率予測パターンＰが今回と同じ場合には、翌日の放電パターンＨを放電期間Ｔ２終了時の残電力量に基づいて補正する構成としたため、実際の冷暖房負荷比率の変動パターンと冷暖房負荷比率予測パターンＰとの間にずれが生じている場合であっても、電力需要の状況に応じた蓄電池３３の放電を行うことができ、さらに、より確実に蓄電電力を使い切ることができる。
【００３０】
＜第２実施の形態＞
上述した第１実施の形態では、放電期間Ｔ２内で蓄電池３３の蓄電電力を過不足なく放電させるべく、放電期間Ｔ２が終了したときに蓄電池３３の残電力量に基づいて翌日の放電パターンＨを補正するようにした。これに対して、本実施の形態では、放電期間Ｔ２内の途中で放電パターンＨを補正する。
【００３１】
すなわち、図６に示すように、本実施の形態では、放電期間Ｔ２の間のうち、冷暖房負荷比率がピークとなる時間帯が経過した後の時間ｔ１（例えば１６：００）に、蓄電空調コントローラ３１は残量検出器３４の検出結果に基づいて蓄電池３３の残電力量を検出し、その残電力量に基づいて、放電期間Ｔ２の残りの時間内で蓄電電力を使い切るように放電パターンＨを補正する。
【００３２】
図７は本実施の形態にかかる放電制御処理のフローチャートである。なお、この図において、第１実施の形態と同様の処理については同じ符号を付してその説明を省略する。
同図に示すように、蓄電空調コントローラ３１は、放電期間Ｔ２において現在時刻が時間ｔ１になった場合（ステップＳｂ１：ＹＥＳ）、残量検出器３４（図１参照）から蓄電池３３の残電力量Ｗｚを検出し（ステップＳｂ２）、この残電力量Ｗｚと、放電期間Ｔ２の残り時間とに基づいて、放電期間Ｔ２の残りの時間における放電パターンＨを補正する（ステップＳｂ４）。この補正について具体的には、残りの時間で残電力量Ｗｚを使い切るべく、蓄電空調コントローラ３１は、この時間ｔ１以降の放電電力負担割合Ａを、（残電力量Ｗｚ／放電期間Ｔ２の残り時間）の値に対応した負担割合とした放電パターンＨに補正する。そして、蓄電空調コントローラ３１は、放電期間Ｔ２の残りの時間においては、補正後の放電パターンＨに基づいて蓄電池３３の放電を実行する（ステップＳｂ４）。
【００３３】
以上の処理により、前掲図６に示すように、放電期間Ｔ２の残りの期間で残電力量Ｗｚが不足し得る場合には、放電パターンＨの放電電力負担割合Ａが引き下げられ、また、残電力量Ｗｚが余る場合には、放電パターンＨの放電電力負担割合Ａが引き上げられて、放電期間Ｔ２の終了時に蓄電池３３の蓄電電力を使い切ることができる。
【００３４】
このように、本実施の形態によれば、上述の第１実施の形態の効果に加え、さらに、次の効果を奏する。すなわち、放電期間Ｔ２内に検出された蓄電池３３の残電力量に基づいて、放電期間Ｔ２の残りの時間における放電パターンＨを補正する構成としたため、実際の冷暖房負荷比率の変動パターンと冷暖房負荷比率予測パターンＰとの間にずれが生じている場合であっても、蓄電電力を毎日確実に効率良く使い切ることができる。
【００３５】
＜第３実施の形態＞
上述した第１および第２実施の形態では、昼間の時間帯に常に一定電力量の蓄電電力を放電させることで、商用電力予測パターンＣを全体的に下方にシフトさせた商用電力変動パターンＣａを得るようにした。これに対して、本実施の形態では、図８に示すように、昼間の時間帯に常に一定電力量の蓄電電力を放電させることに加え、冷暖房負荷比率のピークを含むピーク期間Ｔ３（時間ｔ２〜時間ｔ３）においては、蓄電空調コントローラ３１が蓄電電力の放電量を高くして、商用電力変動パターンＣａのピークを引き下げることとしている（いわゆる、ピークカット）。
【００３６】
すなわち、本実施の形態では、蓄電空調コントローラ３１が冷暖房負荷予測パターンＰのピーク値Ｐｍａｘに基づいて昼間の時間帯の放電パターンＨを決定する際に（上記ステップＳａ１）、図８に示すように、ピーク期間Ｔ３の間だけ放電電力負担割合Ａをピークカット率Ｂ（％）だけ引き上げるようにする。これにより、ピーク期間Ｔ３においては、ピークシフトΔＰに加えてカット率Ｂの分だけ商用電力変動パターンＣａが商用電力予測パターンＣよりも下方にシフトされて、商用電力の消費量のピークがカットされる。これにより、電力需要の平準化に加えて、電力需要のピークも抑制することができるため、例えば、需要電力が商用電力の契約電力を越えないように制御することも可能となる。
【００３７】
なお、上記のように、ピーク期間Ｔ３の間だけ放電電力負担割合Ａをピークカット率Ｂ（％）だけ引き上げた場合、その引き上げ分だけ蓄電電力の放電量が増加するため、放電期間Ｔ２の終了前に蓄電電力が尽きてしまう恐れがある。そこで、放電期間Ｔ２のうち、ピーク期間Ｔ３に至る前の期間、或いは、ピーク期間Ｔ３の後の期間における放電電力負担割合Ａを予め引き下げるようにしても良い。例えば、夏には、午前中よりも午後の方が電力需要が高くなるため、ピーク期間Ｔ３に至る前の期間の放電電力負担割合Ａを予め引き下げた放電パターンＨとし、また、冬には、午後よりも午前中の方が電力需要が高くなるため、ピーク期間Ｔ３の後の期間の放電電力負担割合Ａを予め引き下げた放電パターンＨとする。
【００３８】
このとき、放電期間Ｔ２の間で蓄電電力を使い切るために、上述の第１実施の形態と同様に、放電期間Ｔ２の終了時に、蓄電池３３の残電力量Ｗｚに応じて翌日の放電パターンＨに対してピークカット率Ｂまたは放電電力負担割合Ａを補正しても良く、また、第２実施の形態と同様に、ピーク期間Ｔ３が経過したときに蓄電池３３の残電力量Ｗｚに応じて放電期間Ｔ２の残りの時間における放電電力負担割合Ａを補正しても良い。
【００３９】
このように、本実施の形態によれば、上述した第１および第２実施の形態の効果に加え、あらに、ピーク期間Ｔ３の間だけ放電電力負担割合Ａをピークカット率Ｂだけ増加させた放電パターンＨとしたため、電力需要の平準化に加えて、電力需要のピークも抑制することができ、例えば、需要電力が商用電力の契約電力を越えないように制御することが可能となる。
【００４０】
なお、上述した第１乃至第３実施の形態は、あくまでも本発明の一態様を示すものであり、本発明の範囲内で任意に変形および応用が可能である。
季節ごとに冷暖房負荷予測パターンＰを予めメモリ３１Ａに格納し、季節に基づいて選択した冷暖房負荷予測パターンＰを蓄電空調コントローラ３１が外気温に基づいて冷暖房負荷比率のピーク値やピーク期間Ｔ３などを補正し、この補正後の冷暖房負荷予測パターンＰに基づいて放電パターンＨを決定する構成としても良い。
【図面の簡単な説明】
【００４１】
【図１】本発明の第１実施の形態に係る蓄電式空気調和システムの概略構成を示す回路図である。
【図２】冷暖房負予測パターンの一例を示す図である。
【図３】ピークシフト動作を説明するための図である。
【図４】第１実施の形態に係る放電制御のフローチャートである。
【図５】第１実施の形態に係る残電力量に基づく放電パターンの補正を説明するための図である。
【図６】第２実施の形態に係る残電力量に基づく放電パターンの補正を説明するための図である。
【図７】第２実施の形態に係る放電制御のフローチャートである。
【図８】ピークシフトおよびピークカット動作を説明するための図である。
【符号の説明】
【００４２】
１  蓄電式空気調和システム
２Ａ、２Ｂ  空調機
３  蓄電ユニット
４  ＰＣＳコントローラ
３１  蓄電空調コントローラ
３１Ａ  メモリ
３３  蓄電池
Ｐ  冷暖房負荷予測パターン
Ｔ０  夜間充電期間
Ｔ２  放電期間
Ｔ３  ピーク期間
Ｗｚ  残電力量
【図１】
0004566084.tif 000002
【図２】
0004566084.tif 000003
【図３】
0004566084.tif 000004
【図４】
0004566084.tif 000005
【図５】
0004566084.tif 000006
【図６】
0004566084.tif 000007
【図７】
0004566084.tif 000008
【図８】
0004566084.tif 000009